(57)【要約】　　　（修正有）【課題】１回のプリンターの印刷条件を設定することで、Ａ４サイズの印刷用紙から２枚のパノラマサイズ画像を印刷可能とし、同時に、パノラマ写真を容易かつ確実に形成できる印刷用紙を提供すると共に、連続する２枚のパノラマサイズ画像を、同時にかつ適切に印刷できる印刷方法を提供する。【解決手段】印刷用紙は、幅方向で２列のパノラマ写真サイズの画像が印刷される印刷部２が、中間に縁枠部３を介して配列されるようになっている。約２００μｍ厚のコート紙からなる紙基材の裏面に、プロピレンとエチレンの共重合体からなる約２０μｍ厚の易切断層が、紙基材に圧着されて一体に形成されている。このように形成された印刷用紙に、パノラマ写真６の上縁と下縁を形成する切り込み線７−１、７−２、７−３、７−４が、印刷用紙の長手方向の上縁８に平行に、４本形成されている。【選択図】　　　　図１
2004136581.tif 000002
【特許請求の範囲】
【請求項１】
紙基材の裏面に、易切断層を形成したＡ４サイズの印刷用紙において、紙基材に、印刷用紙の幅方向で中間の縁枠部を介して２列のパノラマ写真サイズの画像を印刷できる印刷部を形成すると共に、これらの印刷部に、それぞれ、パノラマ写真サイズ幅で前記紙基材に切り込まれた切り込み線を、印刷用紙の長手方向に２本形成したことを特徴とする印刷用紙。
【請求項２】
前記印刷用紙のプリンターへの挿入方向が印刷用紙の長手方向であることを示す表示を前記印刷部の領域外に形成した請求項１記載の印刷用紙。
【請求項３】
前記印刷部には、紙基材の長手方向の上下縁からそれぞれ等間隔幅の余白部を介して、前記長手方向の切り込み線が形成されている請求項１または請求項２記載の印刷用紙。
【請求項４】
前記請求項１記載の印刷用紙に、パーソナルコンピュータによって、画面が連続する４枚以上の標準サイズの画像から少なくとも画面が連続する２枚のパノラマサイズ画像を合成し、この連続する２枚のパノラマサイズ画像を出力して、前記印刷用紙の印刷部に、２枚のパノラマ写真サイズの画像を同時に印刷することを特徴とする印刷方法。
【発明の詳細な説明】
【０００１】
【発明の属する技術分野】
本発明は、パノラマ写真サイズの画像を印刷するのに適した印刷用紙及びこの印刷用紙に適切に印刷できる印刷方法に係り、特にパノラマ写真サイズの画像を印刷した印刷用紙からパノラマ写真を容易かつ確実に切り取り可能な印刷用紙及びこの印刷用紙に連続した２枚のパノラマ写真サイズの画像を同時に適切に印刷する印刷方法に関する。
【０００２】
【従来の技術】
現在、デジタルカメラ等を用いて、画像処理が容易に行えるデジタル画像データを作成し、このデジタル画像データを利用して、パーソナルコンピュータ（パソコンという）やパソコンを内蔵するプリンターで複数の標準サイズのデジタル画像データからパノラマサイズ（通常の標準画像サイズと比べ、幅が同一で、長さが２倍サイズの画像サイズ）に、画像データを合成し、この合成画像を出力してプリンターで印刷することによって、パノラマ写真サイズの画像を印刷することが行われている（例えば、特許文献１）。
【０００３】
この方法によれば、標準サイズのデジタル画像データからパノラマサイズの画像データを合成し、この合成されたパノラマサイズの画像データからパノラマ写真サイズの画像をパノラマ写真サイズの印刷用紙に印刷してパノラマ写真を適切に得ることができるが、パノラマ写真サイズに裁断された印刷用紙を、プリンターにセットし、パノラマ写真を１枚、１枚印刷するため、複数枚のパノラマ写真を印刷するには、プリンターの印刷条件を１枚毎にセットしなければならず、手間がかかる問題があった。
【０００４】
【特許文献１】
特開２０００−３６９０３号公報
【０００５】
【発明が解決しようとする課題】
本発明は、このような問題点を解決しようとするもので、１回のプリンターの印刷条件を設定することで、Ａ４サイズの印刷用紙から２枚のパノラマサイズ画像を印刷可能とし、同時に、このように印刷された印刷用紙からパノラマ写真を容易かつ確実に形成できる印刷用紙を提供すると共に、この印刷用紙に、連続する２枚のパノラマサイズ画像を、同時にかつ適切に印刷できる印刷方法を提供しようとするものである。
【０００６】
【課題を解決するための手段】
本発明による第１の発明においては、紙基材の裏面に、易切断層を形成したＡ４サイズの印刷用紙において、紙基材に、印刷用紙の幅方向で中間の縁枠部を介して２列のパノラマ写真サイズの画像を印刷できる印刷部を形成すると共に、これらの印刷部に、それぞれ、パノラマ写真サイズ幅で前記紙基材に切り込まれた切り込み線を、印刷用紙の長手方向に２本形成したことを特徴とする印刷用紙とすることによって、２枚のパノラマ写真を容易かつ確実に形成できるようにしたものである。
【０００７】
本発明の第２の発明によれば、前記印刷用紙のプリンターへの挿入方向が印刷用紙の長手方向であることを示す表示を前記印刷部の領域外に形成した前記第１発明記載の印刷用紙とすることによって、プリンターで、印刷用紙が搬送されてパノラマ写真を印刷する際、印刷用紙の挿入方向を特定して、長手方向の切り込み線による印刷用紙のプリンターへのジャミングを防止できるようにしたものである。
【０００８】
本発明の第３の発明によれば、前記印刷部には、印刷用紙の長手方向の上下縁からそれぞれ等間隔幅の余白部を介して、前記長手方向の切り込み線が形成されている第１発明または第２発明記載の印刷用紙とすることによって、印刷用紙の上下縁を基準として、１枚のパノラマ写真を切り離した後でも残りの１枚のパノラマ写真を容易かつ確実に形成できるようにしたものである。
【０００９】
本発明の第４の発明によれば、本発明の第１の発明で使用される印刷用紙に、パーソナルコンピュータによって、画面が連続する４枚以上の標準サイズの画像から少なくとも画面が連続する２枚のパノラマサイズ画像を合成し、この連続する２枚のパノラマサイズ画像を出力して、前記印刷用紙の印刷部に、２枚のパノラマ写真サイズの画像を同時に印刷することを特徴とする印刷方法とすることによって、適切に、２枚の連続するパノラマ写真を１枚の印刷用紙に同時に印刷して、よりワイドな写真を提供できるだけでなく、その連続性を失うことなく保管を可能となるようにしたものである。
【００１０】
本発明者は、前記目的を達成するために、鋭意検討した結果、パノラマ写真のサイズを考えた際、Ａ４サイズの印刷紙を利用したとき、２枚のパノラマ写真を適切に印刷可能であることに着目し、パノラマ写真サイズの画像を、印刷用紙の幅方向で、中間の縁枠部を介して２列のパノラマ写真サイズの画像を印刷できる印刷部を配置すれば、適切なパノラマ写真サイズの画像が印刷用紙に印刷されることを究明し、さらにこのように印刷された印刷用紙から容易かつ確実にパノラマ写真を形成できるようにしたものである。
【００１１】
本発明で言うパノラマ写真とは、幅が８９ｍｍ、長さが２５４ｍｍの画像写真をいい、標準サイズの写真（幅８９ｍｍ、長さ１２７ｍｍ）の２倍の長さを有するものである。またパノラマ写真サイズとは、前記パノラマ写真より幅、長さともわずかに大きい（１〜５ｍｍ程度）サイズをいい前記印刷部の領域を示し、パノラマサイズとは、パソコンの表示部上で表示される標準サイズの画像に対し、長さ方向で２倍程度（２倍よりやや短くてもよく、またやや長くても良い）のサイズの画像をいう。
【００１２】
上述のように、印刷用紙に印刷されたパノラマ写真サイズの画像からパノラマ写真を容易かつ確実に形成するには、印刷用紙として、パノラマ写真サイズの画像が印刷される紙基材の裏面に、折り曲げにより容易に切断されるプラスチック材からなる易切断層を形成したものを使用し、前記印刷部に、パノラマ写真の幅で前記紙基材の厚さ方向に切りこまれた切り込み線を、紙基材の長手方向に、２本形成すれば、容易かつ確実にパノラマ写真を得ることができる。即ち、このパノラマ写真サイズの画像が印刷された印刷用紙の印刷部から余白部をハサミ等で切り取れば、パノラマ写真を形成することができるが、さらに容易かつ確実にパノラマ写真を形成するため、パノラマ写真の幅で、前記切り込み線を形成することによって、この切り込み線外の余白部を手で折り曲げるだけで余白部が容易に切断分離され、適切に、パノラマ写真を形成することができる。
【００１３】
本発明による印刷用紙には、同時に２枚のパノラマ写真サイズの画像を印刷可能であるが、上段のパノラマ写真サイズの画像の下縁と下段のパノラマ写真サイズの画像の上縁とが重なって印刷されないように、上のパノラマ写真の下縁を形成する切り込み線と下のパノラマ写真の上縁を形成する切り込み線との間に、縁枠部を形成される。
【００１４】
本発明で使用される紙機材としては、クラフト紙、上質紙、グラシン紙、コート紙などが好適に使用され、７０〜３００μｍの厚みのものが望ましい。
【００１５】
また、易切断層としては、紙基材の裏面に塗布等によって接着形成され、紙基材に切り込み線が形成されても搬送時の屈曲程度では容易には切断されないが、手によって数回折り曲げる等の搬送時の屈曲より大きな屈曲力を作用させることによって容易に切断されるものであればよく、例えば、プロピレンの単独重合体やプロピレンとエチレン、ブテン等のα−オレフィンの１種または２種以上との共重合体等が好適に使用され、この層厚は、１０〜４０μｍが適当である。また、この易接断層としては、アセテート等の比較的剛性のある上記厚みの樹脂フィルムを使用し、この樹脂フィルムを接着剤を介して紙基材の裏面に接着形成して使用することもできる。
【００１６】
前記切り込み線は、パノラマ写真を印刷用紙からよく分離切断されるように、連続した切り込み線であることが望ましいが、不連続の線いわゆるミシン目状の線であっても良い。
【００１７】
本発明の印刷用紙は、プリンターによる印刷時に、その搬送方向を幅方向及び長手方向のいずれの方向から搬送させても良いが、幅方向から搬送させると、前記長手方向に形成された切り込み線の部分で、ジャミングを起こしやすいので、長手方向から搬送させることが好ましい。この長手方向からの搬送を確実にするために、プリンターへの挿入方向が印刷用紙の長手方向を示す矢印等の表示を設けることが好ましい。この表示は、印刷用紙の印刷部の領域外であれば、どこに形成されても良いが、挿入方向の前端に形成する場合には、その確認が容易となり、好ましい。
【００１８】
このプリンターによる印刷時に、パノラマ写真サイズの画像は、印刷用紙の長手方向の縁部（第１縁部）を基準として長手方向の縁から所定の幅の第１余白部を介してパノラマ写真サイズが印刷されるが、２枚のパノラマ写真サイズの画像を同時でなく、１枚毎に印刷される場合に、１枚目のパノラマ写真が、印刷用紙から切り込み線で折り取られた後、もう１枚のパノラマ写真サイズの画像を中間の縁枠部ともう一枚のパノラマ写真サイズの画像を印刷できる印刷部が残存した印刷用紙から印刷することになる。この場合、残存する印刷用紙のパノラマ写真の下縁を形成する前記長手方向の切り込み線と印刷用紙の長手方向の縁（第２縁部）に形成される第２余白部を、前記第１余白部と等幅で形成して、第２余白部の縁（第２縁部）を、プリンターの印刷時の基準位置とすれば、プリンターの印刷時の印刷位置の条件を変えることなく適切に印刷することができる。この場合、残存印刷用紙は、初回の印刷用紙の挿入方向と反対側になるので、この挿入方向を示す第２の表示を形成することが望ましい。
【００１９】
さらに、本発明の印刷用紙では、前述のように、２枚のパノラマ写真サイズの画像を同時に印刷することが可能であるが、この利点を利用して、この２枚のパノラマ写真サイズの画像を連続した画像として、さらにワイドな画像とすることができる。このように、連続したパノラマ写真サイズの画像を１枚の印刷用紙に印刷されれば、写真の連続性を維持しながら保存でき、いつでもワイドな画像を再現することができる。このような連続した写真を、Ａ４サイズの印刷用紙に、印刷するには、パソコンによって、デジタルカメラ等によって形成された、画面が連続する４枚以上の標準サイズの画像から少なくとも画面が連続する２枚のパノラマサイズの画像を合成し、この連続する２枚のパノラマサイズ画像を出力して、前記印刷部に、２枚のパノラマ写真サイズの画像を同時に印刷することによって、容易かつ確実に得ることができる。
【００２０】
このような複数の標準サイズの画像からパノラマサイズの画像を合成するには、パソコンを利用し、合成処理のソフトウエアを使用して容易に作成することができる。例えば、この合成処理については、特開平９−９３４３０号公報記載の技術を使用することができる。
【００２１】
また、本発明によるＡ４サイズの印刷用紙に、２枚のパノラマ写真サイズの画像を、同時に適切に印刷するには、後述する実施例で説明するように、パソコンを利用して、この印刷方法のソフトウエアを使用して適切に行うことができる。
【００２２】
【発明の実施の形態】
以下本発明の印刷用紙の一実施例について図面を参照しながら説明する。
図１及び図２は、それぞれ、本発明の１実施例を示す印刷用紙の平面図と図１のＡ−Ａ’線上で切断した断面図を示し、印刷用紙１は、図１から明らかなように、幅２１０ｍｍ、長さ２９７ｍｍのＡ４サイズの大きさになっており、この印刷用紙１の幅方向で２列のパノラマ写真サイズの画像が印刷される印刷部２が、中間に縁枠部３を介して配列されるようになっている。この印刷用紙１は、図２に示すように、約２００μｍ厚のコート紙からなる紙基材４の裏面に、プロピレンとエチレンの共重合体からなる約２０μｍ厚の易切断層５が、プロピレンとエチレンの共重合体が溶融状態にあるときに、紙基材４に圧着されて一体に形成されている。このように形成された印刷用紙１に、パノラマ写真６の上縁と下縁を形成する切り込み線７−１、７−２、７−３、７−４が、印刷用紙１の長手方向の上縁８に平行に、印刷用紙１の両側の縁まで連続した切り込み線として４本形成されている。さらに、パノラマ写真６の左右縁を形成する切り込み線９−１、９−２も同様に印刷用紙１の上下の縁まで連続した切り込み線として形成され、これらの切り込み線に沿って折り曲げると幅８９ｍｍ、長さ２５４ｍｍの長方形状のパノラマ写真６を切り取ることができる。
【００２３】
これらの切り込み線７−１、７−２、７−３、７−４、９−１、９−２は、図２に示すように、パンチ等の押し込み刃１０によって紙基材４は、そのほぼ全厚に亘る深さ、及び約１ｍｍ幅で切断されているが、易切断層５には、ほとんど押し込み刃１０の刃先が達していないように、切り込み線が形成されている。このように、易切断層５には、ほとんど押し込み刃１０の刃先が達していないように切り込み線７−１、７−２、７−３、７−４、９−１、９−２が形成されているため、印刷用紙１は、プリンター（図示せず）への印刷用紙１の装填時等に、少々印刷用紙１が屈曲されても切り込み線上で、易切断層５が切断されることなく、紙基材４と一体になって印刷用紙１の形態を維持する。易切断層５は、上記のように、プリンターへの装填時や搬送時における屈曲程度では、破断されず、手によって、数回の折り曲げ等の比較的大きな折曲げ力を与えたときに切断されるようになっている。
【００２４】
印刷用紙１には、印刷用紙１のプリンターの挿入方向（搬送方向）を示す矢印からなる第１表示部１１と三角印で示す第２表示部１２が印刷用紙１の左右端に、印刷形成されており、第１表示部１１に従って、印刷用紙１をプリンターに装填すると、印刷用紙１は、印刷用紙１の上縁８を基準として印刷部２へのパノラマ写真サイズの画像の印刷位置を決め、その長手方向に搬送されて、印刷部２へのパノラマ写真サイズの画像が印刷される。この際、切り込み線７−１、７−２、７−３、７−４、９−１、９−２で囲まれるパノラマ写真６のサイズが、印刷部２の領域内に存在するように、印刷部２の領域の大きさは、パノラマ写真６のサイズよりやや大きめに形成されるが、これを考慮して印刷位置が決定される。
【００２５】
この印刷位置の位置決めをするため、印刷用紙１の上縁８から切り込み線７−１までの幅ａ（１２ｍｍ）を有する第１余白部１４が形成されているが、上部の１枚のパノラマ写真６を折り取ると、もう一枚の下部の印刷部２とｂの幅（７ｍｍ）を有する縁枠部３が残存し、この下部の印刷部２に印刷する際には、上部の印刷部２に印刷する印刷位置条件と同一条件で印刷した際、切り込み線７−３と７−４との間にパノラマ写真サイズの印刷画像が配置されるように、印刷用紙１の下縁１３から切り込み線７−４までの幅ｃ（１２ｍｍ）を有する第２余白部１５を、前記第１余白部１４の幅ａと等幅としており、前記第２表示部１２にしたがって、残存印刷用紙をプリンターに装填すれば、適切に、上下幅が一致した状態で印刷することができる。
【００２６】
また、同様に、左右方向の第３余白部１６の横幅ｄ（印刷用紙１の左側縁１８から切り込み線９−１までの幅：２１．５ｍｍ）と、第４余白部１７の横幅ｅ（印刷用紙１の右側縁１９から切り込み線９−２までの幅：２１．５ｍｍ）と等幅にしてあるので、前述のように、残存印刷用紙を用いて印刷する際に、横幅においても印刷位置が同一となるので、好ましい。
【００２７】
このように、切り込み線７−１、７−２、７−３、７−４、９−１、９−２が形成されたＡ４サイズの印刷用紙１の印刷部２に、連続する２枚のパノラマサイズ画像から２枚のパノラマ写真サイズの画像を、印刷する方法について図３、図４、図５を使用して説明する。
【００２８】
本発明では、Ａ４サイズの印刷用紙１を使用して、２枚のパノラマ写真６を印刷形成できる特徴を生かして、連続する２枚のパノラマサイズ画像から２枚の連続するパノラマ写真を形成することを特徴とするものである。
【００２９】
この印刷に先立って連続するパノラマサイズ画像を作成する必要があるが、このパノラマサイズ画像は、前述のように、パソコンを利用し、公知のパノラマサイズ画像の合成処理のソフトウエアを使用して、デジタルカメラ等で撮影した２枚以上の標準サイズの画像から、パソコン上で１枚のパノラマサイズ画像に合成したものを本発明では、使用する。この合成処理方法の詳細は、例えば、特開平９−９３４３０号公報を参照されたい。
【００３０】
本発明で使用されるパソコン及び処理手順に関して、１実施例について説明する。
図３は、本発明で使用されるパソコンを内蔵したプリンターの概略構成図を示す。画像データ入力部２０は、外部から画像データを入力するために設けられ、例えば、デジタルカメラで撮影された標準サイズの画像が、入力画像データ２１として入力される。このようにして入力された画像データは、画像データ処理部２３で、複数の標準サイズ画像から１枚のパノラマサイズ画像を作成、データ化し、このデータを画像プリント部２２に送給される。このように送給された複数のパノラマサイズ画像データから装置制御部２４で、操作者が操作して種々の指令をパソコンにデータを入力する操作部２５からの指示で、連続するパノラマサイズ画像データの順位付けを行う。この順位付けに応じて、印刷用紙１に画像印刷２６される。
【００３１】
この場合、順位付けは、装置制御部２４の指示で、画像データ処理部２３で処理された表示用画像データを基に表示画像信号出力部を経由して画像表示装置２８で表示される画像を、操作者が目で確認して行う。本発明で使用される上記プリンターの機能の内、本発明に関わる機能を用いて、本発明の実施例の動作シーケンスを図４のフローチャートを用いて説明する。装置の電源が投入されると、まず、図３の印刷用紙検知部２９において、プリンターの印刷用紙収納部（図示せず）に印刷用紙１がセットされたことを印刷用紙検知部２９で検知し（ステップＳ１）、セットされた印刷用紙１がＡ４サイズか否かを装置制御部２４から問い合わせを行い（ステップＳ２）、この問いに対し、ＹＥＳの信号を操作者が操作部２５から装置制御部２４に送給してセットする（ステップＳ３）。
【００３２】
次に、印刷用紙の挿入方向が印刷用紙１の矢印の表示方向にしたがっているかの問いに対し（ステップＳ４）、印刷用紙のセット方向を確認してＹＥＳの信号を操作部２５から装置制御部２４に送給し、このＹＥＳ信号に基づき印刷用紙１の挿入方向の決定指示を操作部２５から装置制御部２４に対しておこなう（ステップＳ５）。続いて、装置制御部２４からの指示で表示画像信号出力部２７から画像信号が画像表示装置２８に送給され、パノラマサイズの合成画像が画像表示装置２８に表示される。
【００３３】
この表示された合成画像を見ながら、操作者は、操作部２５から印刷したい合成画像を選択する（ステップＳ６）。この選択後、これらの選択された合成画像が連続するものであるか否かと共に、連続する場合には、連続番号を指示をする旨を装置制御部２４から指示が行われ、ＹＥＳのデータと共に、連続番号のデータを操作部２５から入力する（ステップＳ７）。この連続番号のデータから、装置制御部２４が連続順位を検知して番号順に、パノラマサイズ画像を選択し連続順位を決定する（ステップＳ８）。続いてパノラマサイズの画像を連続順位に従って２枚毎にして、プリント画像データを装置制御部２４で作成し（ステップＳ９）、画像印刷部２２からプリント画像データを出力し（ステップＳ１０）、印刷をおこない（ステップＳ１１）、一連の動作が完了する。一方、前記ステップＳ７において、パノラマ合成画像は連続するかの問いに対し、ＮＯの場合には、ＮＯのデータを操作部２５から装置制御部に送給する。このＮＯデータ受けて、前記ステップＳ５で選択されたパノラマ合成画像の選択順に印刷順位を決定する（ステップＳ１２）。この印刷順位に基づき、プリント画像データを作成し（ステップＳ１３）、この画像データに基づきプリント画像データを出力して（ステップＳ１４）、印刷を行い（ステップＳ１５）一連の動作が完了する。
【００３４】
上記の印刷方法により、連続したパノラマ写真サイズの画像が印刷された印刷用紙１の平面図を図５に示す。この図から、上下で連続するパノラマ写真６が、Ａ４サイズの印刷用紙１枚に印刷され、その連続性を維持すると共に、切り込み線７−１、７−２、７−３、７−４、９−１、９−２で折り曲げて、第１、第２、第３、第４余白部１４、１５、１６、１７及び縁枠部３を切り取れば、上下で連続するパノラマ写真６を容易かつ確実に作成することができ、これらのパノラマ写真を左右に繋げるとワイドな風景画が形成されることになる。
【００３５】
【発明の効果】
本発明による第１の発明の印刷用紙によれば、紙基材の裏面に、易切断層を形成したＡ４サイズの印刷用紙において、紙基材に、印刷用紙の幅方向で中間の縁枠部を介して２列のパノラマ写真サイズの画像を印刷できる印刷部を形成すると共に、これらの印刷部に、それぞれ、パノラマ写真サイズ幅で前記紙基材に切り込まれた切り込み線を、紙基材の長手方向に２本形成したので、２枚のパノラマ写真を容易かつ確実に形成できる。
【図面の簡単な説明】
【図１】本発明の１実施例を示す印刷用紙の平面図である。
【図２】図１のＡ−Ａ’線上で切断した断面図である。
【図３】本発明で使用されるパソコンを内蔵したプリンターの概略図である。
【図４】本発明に関わる機能を用いて本発明実施例の動作シーケンスを示すフローチャートである。
【図５】本発明による印刷方法によって印刷された印刷用紙の平面図である。
【符号の説明】
１　印刷用紙
２　印刷部
３　縁枠部
４　紙基材
５　易切断層
６　パノラマ写真
７−１　切り込み線
７−２　切り込み線
７−３　切り込み線
７−４　切り込み線
８　上縁
９−１　切り込み線
９−２　切り込み線
１０　押し込み刃
１１　第１表示部
１２　第２表示部
１３　下縁
１４　第１余白部
１５　第２余白部
１６　第３余白部
１７　第４余白部
１８　左側縁
１９　右側縁
２０　画像データ入力部
２１　入力画像データ
２２　画像プリント部
２３　画像データ処理部
２４　装置制御部
２５　操作部
２６　画像印刷
２７　表示画像信号出力部
２８　画像表示装置
２９　印刷用紙検知部
【図１】
2004136581.tif 000003
【図２】
2004136581.tif 000004
【図３】
2004136581.tif 000005
【図４】
2004136581.tif 000006
【図５】
2004136581.tif 000007